(57)【要約】【課題】ゲーム中に遊技者が足を組んだ際、膝が膳板にあたることによるゲームのしにくさと不愉快を解消した遊技機島を提供する。【解決手段】遊技機を設置する島台に膳板は設けず、前記島台の平板上で前記遊技機の前面が前記平板の前面より突出しないように前記遊技機を取付け、遊技媒体貯留箱を前記遊技機の遊技媒体受け下皿の下方位置に保持するための保持手段と前記保持手段を左右自在に移動可能にする移動手段を備えた。【選択図】  図２
2011078663.tif 000002
【特許請求の範囲】
【請求項１】
複数の遊技機が併設されてなる遊技機島において、前記遊技機を設置する島台に膳板は設けず、前記島台の平板上で前記遊技機の前面が前記平板の前面より突出しないように前記遊技機を取付け、遊技媒体貯留箱を前記遊技機の遊技媒体受け下皿の下方位置に保持するための保持手段と前記保持手段を左右自在に移動可能にする移動手段を備えたことを特徴とする遊技機島。
【発明の詳細な説明】
【技術分野】
【０００１】
本発明は、複数の遊技機が併設されてなる遊技機島に関する。
【背景技術】
【０００２】
従来の遊技機島としては、例えば、図９のようなものがある。
【０００３】
すなわち、通常、遊技機島100の島台の平板３上には遊技機4が複数設置されており、遊技機４の前面から張り出した膳板102には、その上に遊技客が遊技媒体50を貯留するための遊技媒体貯留箱５を置いたり、タバコやライター等の小物を置くことが出来るようになっている。
【０００４】
一方、遊技客にあっては、特に足を組む際に膳板102に膝をぶつける場合があるなど足元の窮屈さを指摘する声が近年高まりつつあり、遊技者の足元スペースを少しでも広げる事が望まれている。
【０００５】
そこで、特許文献１では、固定的な膳板（天板）をなくし、遊技媒体貯留箱を載置する場合は、収納可能な保持手段を取り出して用いることのできる遊技機島が記載されている。しかし通常の遊技において、遊技時間中の大部分は、遊技媒体貯留箱は所定量の遊技媒体を蓄えて遊技機の受皿の下または近傍に載置されているものである。特許文献１にかかる遊技機島においては、保持手段を収納して遊技客の足元を開放する効果が得られる時間は遊技媒体貯留箱が不要な限定的な時間のみである。一方、保持手段を引き出した状態においては、固定された膳板と変わらず、ゲーム中の遊技者が足を組んだ際、保持手段にあたることによるゲームのしにくさと不愉快さには変わりない。
【先行技術文献】
【特許文献】
【０００６】
【特許文献１】特開平７−２３１９８１号公報
【発明の概要】
【発明が解決しようとする課題】
【０００７】
そこで、本発明は、このような従来の問題に着目してなされたもので、遊技媒体貯留箱を遊技機の遊技媒体受け皿の下方位置に保持するための保持手段と前記保持手段を左右自在に移動可能にする移動手段を設けることによって、遊技媒体貯留箱を保持した状態でも膝にぶつからないよう保持手段を左右に退避させることのできる遊技機島を提供することを目的とする。
【課題を解決するための手段】
【０００８】
上記の目的を達成するため、本発明は複数の遊技機が併設されてなる遊技機島において、前記遊技機を設置する島台に膳板は設けず、前記島台の平板上で前記遊技機の前面が前記平板の前面より突出しないように前記遊技機を取付け、遊技媒体貯留箱を前記遊技機の遊技媒体受け皿の下方位置に保持するための保持手段と前記保持手段を左右自在に移動可能にする移動手段を備える。尚、島台とは遊技機を載置するための板で平板、膳板（天板）を総称して言う。
【発明の効果】
【０００９】
上記構成にかかる本発明の遊技機島によれば、遊技機を設置する島台に膳板は設けず、遊技媒体貯留箱保持手段を左右自在に移動可能にしたことにより、遊技客が足を組んだ際も、遊技客の膝にあたらない位置に遊技媒体貯留箱を左右自在に退避させることができ、より快適な遊技環境を遊技客に提供することができる。
【図面の簡単な説明】
【００１０】
【図１】本発明の第一実施例に係る遊技機島正面図
【図２】本発明の第一実施例に係る遊技機島から見た一部を示す断面図
【図３】本発明の第一実施例に係る遊技機島から見た一部を示す正面図
【図４】本発明の第二実施例に係る遊技機島正面図
【図５】本発明の第二実施例に係る遊技機島から見た一部を示す断面図
【図６】本発明の第二実施例に係る遊技機島から見た一部を示す正面図
【図７】本発明の第二実施例に係る遊技媒体貯留箱を遊技媒体受け皿の真下から右側に移動させたときのスライド扉の開閉状態を現す部分正面図
【図８】本発明の第二実施例に係る遊技媒体貯留箱を遊技媒体受け皿の真下から左側に移動させたときのスライド扉の開閉状態を現す部分正面図
【図９】従来の遊技機島を示す側面図
【発明を実施するための形態】
【００１１】
以下、実施形態を図面に基づき各実施例を説明する。
【００１２】
なお、本願明細書中において使用する「保持」の意味には「載置」も含むものとする。
【００１３】
図１，２，３を参照しながら本発明の第一実施例を説明する。
【００１４】
本発明の遊技機島100は支柱１遊技機支持梁２平板３遊技機4台間遊技媒体貸機30遊技媒体貯留箱５及び遊技媒体貯留箱５を遊技媒体受け皿101の下方で保持するための保持手段10（保持板13）と保持手段10（保持板13）を左右自在に移動可能にする移動手段成11（ローラー14）から成ることを特徴としている。
【００１５】
遊技機支持梁２の上部には遊技機４の加重に対する強度と遊技媒体貯留箱5に貯留した遊技媒体50の加重を支持するために、コの字上の遊技媒体貯留箱支持梁6が備えられている。
【００１６】
遊技媒体貯留箱支持梁6の上部には遊技機４を保持するための平板3を載置、平板3の上部には平板3の遊技者側側面がコの字状の空間Aを形成した平板カバー７が備えられている。
【００１７】
遊技媒体貯留箱保持金具12には遊技媒体貯留箱5を保持する保持手段10（保持板13）と保持手段10（保持版13）を移動可能にするための移動手段11（ローラー14）が遊技媒体貯留箱保持金具12の上部に上部ローラー14aと下部に下部ローラー14bが取り付けられている。
【００１８】
遊技媒体貯留箱保持金具12の上部ローラー14aを平板カバー7のコの字状の空間部Aに嵌め込み、平板カバー7の内側側面部Bに上部ローラー14aの面が接触し、下部ローラー14bの面が遊技媒体貯留箱支持梁6の遊技者側側面部Cに接触するように取付け、遊技媒体50の加重を平板カバー7の内側側面Bと遊技媒体貯留箱支持梁6の遊技者側側面部Cで支持するように構成され、かつ、平板カバー7の下側折面部Dがスライドレール15の役割と遊技媒体貯留箱保持金具12の脱落を防止し、遊技媒体貯留箱保持金具12を長手方向に沿って自由に移動可能に構成されている。また、上部ローラー14aの面を平板カバー７の下側折面部Dに接触するように構成してもよい。尚、長手方向とは、遊技者側正面左右方向を示す。
【００１９】
次に、図４，５，６を参照しながら本発明の第２実施例を説明する。
【００２０】
本実施例は遊技媒体貯留箱5を保持手段10（保持板13）に固定して取り付けられたものである。また、本実施例は台間遊技媒体貸機30に手持ちの遊技媒体50を計数するための玉計数部31を具備する台間遊技媒体貸機30に用いられる。
【００２１】
遊技媒体貯留箱5の遊技機側側面には遊技媒体50を排出するための遊技媒体排出口51が備えられ、排出された遊技媒体50を受けて、台間遊技媒体貸機30の玉計数部31へ遊技媒体50を誘導する遊技媒体誘導管20が遊技機4と遊技媒体貯留箱5との間に長手方向に亘って備えられている。
【００２２】
遊技媒体誘導管20にはスライド扉40が取り付けられ、遊技媒体貯留箱5の移動に応じてスライド扉40が開閉するように構成されている。例えば図6は遊技媒体貯留箱5が遊技媒体受け皿101の真下に位置するときのスライド扉40の開閉状態を現すもので、スライド扉40は開放され、遊技媒体50は遊技媒体貯留箱5の遊技媒体排出口51から遊技媒体誘導管20に備えられた遊技媒体誘導部21へ流れ込み遊技媒体搬送路22を通って台間遊技媒体貸機30の玉計数部31へ導かれるように構成されている。
【００２３】
図7は遊技媒体貯留箱5を遊技媒体受け皿101の真下から右側に移動させたときのスライド扉40の開閉状態を現すもので、遊技媒体排出口51はスライド扉41ｂで塞がれ遊技媒体50が排出されることは無い。また、遊技媒体貯留箱5を右側に移動させることによって、遊技媒体貯留箱5に備えられたフック（バネ状）42aがスライド扉41aのフック掛け穴43aに入り込み、スライド扉41aを右側に移動させる。スライド扉41bの右側への開放が制限されているため、スライド扉4１aはスライド扉41bによって右側への移動が遮断され、フック42a（バネ状）がフック掛け穴43aから外れ、遊技媒体貯留箱5のみが右側へ移動するよう構成されている。
【００２４】
図８は遊技媒体貯留箱5を遊技媒体受け皿101の真下から左側に移動させたときのスライド扉の開閉状態を現すもので図７と同様の作用を行う。
【符号の説明】
【００２５】
１      支柱
２      遊技機支持梁
３      平板
４      遊技機
５      遊技媒体貯留箱
６      遊技媒体貯留箱支持梁
７      平板カバー      
１０    保持手段
１１    移動手段
１２    遊技媒体貯留箱保持金具
１３    保持板
１４    ローラー
１４a   上部ローラー
１４ｂ  下部ローラー
１５    スライドレール
１６    止金具
２０    遊技媒体誘導管
２１    技媒体誘導部
２２    遊技媒体搬送路
３０    台間遊技媒体貸機
３１    玉計数部
４０    スライド扉
４１a   スライド扉（右側）
４１b   スライド扉（左側）
４２a   フック（右側）（バネ状）        
４２ｂ  フック（左側）（バネ状）
４３a   フック引っ掛け穴（右側）
４３ｂ  フック引っ掛け穴（左側）
５０    遊技媒体
５１    遊技媒体排出口
１００  遊技機島
１０１  遊技媒体受け皿
１０２  膳板
１０３  押しボタン
１０４  幕板
１０５  腰板
１０６  ハンドル
A       平板コの字空間部
B       平板カバーコの字内側側面部
C       遊技媒体貯留箱支持梁側面部
D       平板カバーコの字下側折面部
【図１】
2011078663.tif 000003
【図２】
2011078663.tif 000004
【図３】
2011078663.tif 000005
【図４】
2011078663.tif 000006
【図５】
2011078663.tif 000007
【図６】
2011078663.tif 000008
【図７】
2011078663.tif 000009
【図８】
2011078663.tif 000010
【図９】
2011078663.tif 000011